(57)【要約】【課題】例えば液晶装置等の電気光学装置において、表示領域の縁付近に例えば輝線などの表示異常が発生することを抑制する。【解決手段】電気光学装置は、電気光学パネル（１１０）と、電気光学パネルの表示領域の周辺に形成された額縁領域（１００ｆ）と、電気光学パネルに対向するように配置された導光板（３１０）と、導光板の一辺（３１０ａ）における側面の少なくとも一部に対向するように配置された光源（２１０）と、導光板に重なる領域で、且つ、額縁領域のうち一辺に沿って延びる光源側領域に少なくとも部分的に重なるように形成されており、導光板側からの光を反射する光反射部（７１１）と、導光板に重なる領域で、且つ、額縁領域のうち導光板の一辺と異なる他辺（３１０ｂ、３１０ｃ、３１０ｄ）に沿って延びる非光源側領域に少なくとも部分的に重なるように形成されており、光反射部よりも低い反射率を有し、導光板側からの光を吸収する光吸収部（６１１、６１２）とを備える。【選択図】図１
2010217637.tif 000002
【特許請求の範囲】
【請求項１】
電気光学パネルと、
前記電気光学パネルの表示領域の周辺に形成された額縁領域と、
前記電気光学パネルに対向するように配置された導光板と、
前記導光板の一辺における側面の少なくとも一部に対向するように配置された光源と、
前記導光板に重なる領域で、且つ、前記額縁領域のうち前記一辺に沿って延びる光源側領域に少なくとも部分的に重なるように形成されており、前記導光板側からの光を反射する光反射部と、
前記導光板に重なる領域で、且つ、前記額縁領域のうち前記導光板の前記一辺と異なる他辺に沿って延びる非光源側領域に少なくとも部分的に重なるように形成されており、前記光反射部よりも低い反射率を有し、前記導光板側からの光を吸収する光吸収部と
を備えることを特徴とする電気光学装置。
【請求項２】
前記光反射部の前記電気光学パネル側に、前記光反射部に重なるように形成されており、前記光反射部よりも低い反射率を有する光源側光吸収部を備えることを特徴とする請求項１に記載の電気光学装置。
【請求項３】
前記光吸収部及び前記光源側光吸収部は、前記表示領域を囲む枠状の平面形状を有するように、一体的に形成されることを特徴とする請求項２に記載の電気光学装置。
【請求項４】
前記光源は、実装基板上に実装されており、
前記実装基板は、前記光源が実装される本体部と、前記本体部から前記導光板に重なるように延設された延設部とを有し、
前記光反射部は、前記延設部における前記導光板側の基板面に設けられる
ことを特徴とする請求項１から３のいずれか一項に記載の電気光学装置。
【請求項５】
請求項１から４のいずれか一項に記載の電気光学装置を具備してなることを特徴とする電子機器。
【発明の詳細な説明】
【技術分野】
【０００１】
本発明は、例えば液晶装置等の電気光学装置、及びこのような電気光学装置を備える電子機器の技術分野に関する。
【背景技術】
【０００２】
この種の電気光学装置の一例として、液晶パネルと、この液晶パネルに対して光を照射するエッジライト方式のバックライトとが、収容ケース内に収容されてなる液晶装置が知られている。エッジライト方式のバックライトは、例えばＬＥＤ（Light Emitting Diode）等の光源と、この光源から出射された光を平面状の光として液晶パネルに照射する導光板とを有している。
【０００３】
このような液晶装置では、液晶パネルとバックライト或いは収容ケースとを固定するために、両面テープが用いられることがある。この両面テープは、例えば、液晶パネルの表示領域の周縁に沿う枠状の平面形状を有する。例えば特許文献１には、液晶パネルとバックライトとを固定する例えば両面テープ等のリムシート（粘着シート）を、バックライトからの不要な光を遮光する遮光部材として用いることが開示されている。
【０００４】
このような両面テープとして、液晶パネル側に黒色層（例えば黒色に着色された接着層）、バックライト側に白色層（例えば白色に着色された接着層）を有する両面テープが用いられる場合がある。この場合、表示領域を囲む額縁領域においてバックライトの導光板から出射される光を、白色層によって反射して導光板に戻すことができ、光の利用効率を高めることができる。また、白色層を透過した光を黒色層によって吸収することができ、額縁領域における光漏れを防止できる。
【先行技術文献】
【特許文献】
【０００５】
【特許文献１】特開２００３−５７６４９号公報
【発明の概要】
【発明が解決しようとする課題】
【０００６】
しかしながら、上述したような黒色層及び白色層を有する両面テープが用いられる場合、白色層によって反射された光が、例えば導光板上に設けられた光学シートによって再反射されて、液晶パネルの表示領域に出射されることにより、表示領域の縁付近に例えば輝線（即ち、輝度の高い線状の領域）などの表示異常が発生してしまうおそれがあるという技術的問題点がある。このような表示異常は、特に、液晶パネルのパネル面に対して斜め方向から見た場合に見えやすい。また、このような表示異常は、表示領域を囲む額縁領域の幅が狭くなるほど発生しやすいため、装置の小型化や大画面化を妨げる要因となり得る。
【０００７】
本発明は、例えば上述した問題点に鑑みなされたものであり、表示領域の縁付近に例えば輝線などの表示異常が発生することを抑制でき、高品位な表示を行うことが可能な電気光学装置、及びこのような電気光学装置を備える電子機器を提供することを課題とする。
【課題を解決するための手段】
【０００８】
本発明の電気光学装置は上記課題を解決するために、電気光学パネルと、前記電気光学パネルの表示領域の周辺に形成された額縁領域と、前記電気光学パネルに対向するように配置された導光板と、前記導光板の一辺における側面の少なくとも一部に対向するように配置された光源と、前記導光板に重なる領域で、且つ、前記額縁領域のうち前記一辺に沿って延びる光源側領域に少なくとも部分的に重なるように形成されており、前記導光板側からの光を反射する光反射部と、前記導光板に重なる領域で、且つ、前記額縁領域のうち前記導光板の前記一辺と異なる他辺に沿って延びる非光源側領域に少なくとも部分的に重なるように形成されており、前記光反射部よりも低い反射率を有し、前記導光板側からの光を吸収する光吸収部とを備える。
【０００９】
本発明の電気光学装置によれば、光源及び導光板は、例えば液晶パネル等の電気光学パネルに光を照射する照明ユニット（バックライトユニット）を構成する。光源は、例えばＬＥＤチップ等からなり、導光板の一辺における側面の少なくとも一部に対向するように、導光板の一辺における側面側に配置される。光源は、典型的には、複数設けられ、導光板の一辺に沿って配列される。本発明の電気光学装置の動作時には、光源から導光板の一辺における側面に光が入射され、該入射された光は、導光板の光出射面から平面状の光として出射される。これにより、導光板の光出射面に対向するように配置された電気光学パネルに光が照射され、電気光学パネルの表示領域において表示を行うことが可能となる。
【００１０】
本発明では特に、導光板の一辺に沿って延びる光源側領域に少なくとも部分的に重なるように形成された光反射部、及び導光板の他辺に沿って延びる非光源側領域に少なくとも部分的に重なるように形成された光吸収部を備える。より具体的には、光反射部は、例えば電気光学パネルと導光板との間に配置され、電気光学パネルの表示領域の周辺に、例えば表示領域を囲むように、形成された額縁領域のうち導光板の一辺（即ち、導光板の複数の辺のうち光源が配置された一辺）に沿って延びる光源側領域に少なくとも部分的に重なるように形成されている。光反射部は、例えば、白色のシート状或いは層状の部材で構成される。光反射部は、例えば、電気光学パネルと導光板（或いはこれらを収容する収容ケース）とを固定するための両面テープの一部における導光板側が白色に着色されることにより形成されてもよい。一方、光吸収部は、例えば電気光学パネルと導光板との間に配置され、額縁領域のうち導光板の一辺と異なる他辺（即ち、導光板の複数の辺のうち光源が配置されていない他辺）に沿って延びる非光源側領域に少なくとも部分的に重なるように形成されている。光吸収部は、光反射部よりも低い反射率を有し、例えば、黒色のシート状或いは層状の部材で構成される。光吸収部は、例えば、電気光学パネルと導光板（或いはこれらを収容する収容ケース）とを固定するための両面テープの一部が黒色に着色されることにより形成されてもよい。
【００１１】
よって、額縁領域のうち導光板の光源が配置された一辺側において導光板から出射する光を光反射部によって反射して導光板に戻すことができ、光の利用効率を高めることができる。従って、電気光学パネルにおいて明るい表示が可能となる。更に、額縁領域のうち導光板の光源が配置されていない他辺側において導光板から出射する光を光吸収部によって吸収することができ、表示領域の縁付近に例えば輝線（即ち、輝度の高い線状の領域）などの表示異常が発生してしまうことを抑制或いは防止できる。即ち、仮に、何らの対策も施さずに、例えば電気光学パネルと導光板との間における、額縁領域に、表示領域を囲むように枠状に形成されると共に、電気光学パネル側に黒色層を有し、導光板側に白色層を有する両面テープを設けた場合に生じ得る、表示領域の縁付近における例えば輝線などの表示異常の発生を抑制或いは防止できる。これらの結果、表示領域の縁付近に例えば輝線などの表示異常が殆ど或いは全く無く、明るい高品位な表示を行うことが可能となる。
【００１２】
以上説明したように、本発明の電気光学装置によれば、表示領域の縁付近に例えば輝線などの表示異常が発生することを抑制でき、高品位な表示を行うことが可能となる。
【００１３】
本発明の電気光学装置の一態様では、前記光反射部の前記電気光学パネル側に、前記光反射部に重なるように形成されており、前記光反射部よりも低い反射率を有する光源側光吸収部を備える。
【００１４】
この態様によれば、光源側領域における導光板からの光のうち光反射部を透過した光を光源側光吸収部によって吸収することができる。よって、額縁領域のうち光源側領域における光漏れ（即ち、額縁領域において導光板側から電気光学パネル側に光が漏れてしまうこと）を抑制或いは防止できる。
【００１５】
本発明の電気光学装置の他の態様では、前記光吸収部及び前記光源側光吸収部は、前記表示領域を囲む枠状の平面形状を有するように、一体的に形成される。
【００１６】
この態様によれば、表示領域を囲む額縁領域における光漏れをより確実に抑制或いは防止できる。例えば、光反射部と光吸収部との間の間隙領域における光漏れを防止できる。
【００１７】
本発明の電気光学装置の他の態様では、前記光源は、実装基板上に実装されており、前記実装基板は、前記光源が実装される本体部と、前記本体部から前記導光板に重なるように延設された延設部とを有し、前記光反射部は、前記延設部における前記導光板側の基板面に設けられる。
【００１８】
この態様では、光反射部は、光源が実装される実装基板の延設部における導光板側の基板面に、例えばシルク印刷（即ち、シルクスクリーン印刷）による白色の印刷層として形成される。この態様によれば、額縁領域のうち導光板の光源が配置された一辺側において導光板から出射する光（特に、光源側領域のうち表示領域に近い領域において導光板から出射される光）を光反射部によって反射して導光板に戻すことができる。更に、光反射部を、光源が実装される実装基板上に容易に形成することができる。
【００１９】
本発明の電子機器は上記課題を解決するために、上述した本発明の電気光学装置（但し、その各種態様も含む）を具備してなる。
【００２０】
本発明の電子機器によれば、上述した本発明の電気光学装置を具備してなるので、表示領域の縁付近における例えば輝線などの表示異常の発生が抑制され、高品質な画像を表示可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００２１】
本発明の作用及び他の利得は次に説明する発明を実施するための形態から明らかにされる。
【図面の簡単な説明】
【００２２】
【図１】第１実施形態に係る液晶装置の全体構成を示す分解斜視図である。
【図２】図１のＡ−Ａ’線断面図である。
【図３】図２のＢ−Ｂ’線断面図である。
【図４】第１実施形態に係る第１及び第２遮光両面テープの構成を示す平面図である。
【図５】第１実施形態に係る第１及び第２遮光両面テープが配置される領域を説明するための説明図である。
【図６】第１実施形態に係る第１及び第２遮光両面テープの構成を示す断面図である。
【図７】第１比較例に係る液晶装置の構成を示す分解斜視図である。
【図８】第１比較例に係る液晶装置において、画像表示領域の縁付近に例えば輝線等の表示異常が発生するメカニズムを説明するための説明図である。
【図９】第２比較例に係る液晶装置の構成を示す分解斜視図である。
【図１０】第２実施形態に係る液晶装置の構成を示す分解斜視図である。
【図１１】第３実施形態に係る液晶装置の構成を示す断面図である。
【図１２】第３実施形態に係るＦＰＣ基板上に設けられた光反射層の構成を示す平面図である。
【図１３】本発明に係る電気光学装置を適用した電子機器の一例たるタッチパネル機能を有するポータブルコンピュータの構成を概略的に示す斜視図である。
【発明を実施するための形態】
【００２３】
以下では、本発明の実施形態について図を参照しつつ説明する。以下の実施形態では、本発明の電気光学装置の一例として、液晶装置を例にとる。
【００２４】
＜第１実施形態＞
第１実施形態に係る液晶装置について、図１から図６を参照して説明する。
【００２５】
先ず、本実施形態に係る液晶装置の全体構成について、図１から図３を参照して説明する。
【００２６】
図１は、本実施形態に係る液晶装置の全体構成を示す分解斜視図である。図２は、図１のＡ−Ａ’線断面図である。図３は、図２のＢ−Ｂ’線断面図である。尚、図２及び図３は、図１に示した本実施形態に係る液晶装置が組み立てられた状態での断面図である。また、図１から図３においては、説明の便宜上、各部材・各部位ごとに縮尺を異ならしめてある。この点については、図４から図１２についても同様である。
【００２７】
図１から図３において、本実施形態に係る液晶装置は、本発明に係る「電気光学パネル」の一例としての液晶パネル１１０と、液晶パネル１１０に接続されたＦＰＣ（Flexible Printed Circuit）基板１５０上に実装された光源部２１０と、導光板３１０と、複数の光学シート６０（即ち、第１プリズムシート６１、第２プリズムシート６２及び拡散シート６３）と、反射シート７１と、第１遮光両面テープ６１０と、第２遮光両面テープ７１０と、これらを収容するフレーム４１０とを備えている。
【００２８】
液晶パネル１１０は、ＴＦＴ（Thin Film Transistor）等のスイッチング素子によって液晶素子を駆動するアクティブマトリクス駆動方式の表示パネルであり、本発明に係る「表示領域」の一例としての画像表示領域１０ａにおいて画像を表示することが可能に構成されている。
【００２９】
図２及び図３に示すように、液晶パネル１１０は、例えばガラス等の透光性材料から夫々形成された第１基板１０及び第２基板２０間に液晶層５０が挟持された構造を有する透過型の液晶パネルとして構成されている。第１基板１０及び第２基板２０は、枠状のシール材５１によって互いに貼り合わされている。この枠状のシール材５１によって規定される領域に液晶層５０が設けられている。液晶パネル１１０は、第１基板１０及び第２基板２０の外面側に偏光板３０及び４０を備えている。偏光板３０は、第１基板１０の液晶層５０に面する側の基板面とは反対側の基板面に対向するように設けられている。偏光板４０は、第２基板２０の液晶層５０に面する側の基板面とは反対側の基板面に対向するように設けられている。尚、図１では、偏光板３０及び４０の図示を省略している。この点については、図７、図９及び図１０においても同様である。
【００３０】
液晶パネル１１０は、画像表示領域１０ａを囲む額縁領域に、画像表示領域１０ａの周縁を規定するように額縁状に形成された遮光性の額縁遮光膜５３を有している。額縁遮光膜５３は、第２基板２０の液晶層５０に面する側の基板面上に形成されている。尚、額縁遮光膜５３は、その一部或いは全部が第１基板１０上に形成されてもよい。
【００３１】
図１及び図３に示すように、液晶パネル１１０の第１基板１０は、当該第１基板１０の一辺において第２基板２０より張り出した基板張出部１０ｔを有している。基板張出部１０ｔ（より正確には、基板張出部１０ｔにおける第２基板２０側の表面）上には、例えば液晶パネル１１０を駆動するための駆動回路等を含む電子部品２５が実装されている。
【００３２】
尚、本発明では、液晶パネル１１０は、特定の構成に限定されず、周知の種々の構成を採り得る。
【００３３】
図１及び図３において、液晶パネル１１０には、可撓性を有する基板であるＦＰＣ基板１５０が接続されている。ＦＰＣ基板１５０は、その一端側が基板張出部１０ｔにおいて液晶パネル１１０に接続されている。ＦＰＣ基板１５０上には、ＬＥＤを含む光源部２１０が複数設けられている。更に、ＦＰＣ基板１５０上には、光源部２１０及び液晶パネル１１０を駆動するための各種配線及び各種回路（いずれも図示省略）が設けられている。
【００３４】
図３に示すように、光源部２１０は、パッケージ（或いはケース部）２１１内にＬＥＤ素子からなる発光部２１２が封入された構成を有しており、導光板３１０に光を入射する光源として機能する。光源部２１０は、光を出射する発光面２１０ａが、導光板３１０の一側面である入光端面３１１ａに対向するように、導光板３１０の入光端面３１１ａ側に配置されている。本実施形態に係る液晶装置の動作時には、光源部２１０からの光が導光板３１０の入光端面３１１ａに入射される。
【００３５】
図１及び図２において、導光板３１０は、透光性材料から形成されており、入光端面３１１ａに入射される光源部２１０からの光を、液晶パネル１１０が配置される側の光出射面３１１ｓから出射して、液晶パネル１１０へと導くライトガイドとして機能する。導光板３１０は、矩形状の平面形状を有している。光源部２１０から導光板３１０に入射した光は、典型的には、光出射面３１１ｓと、該光出射面３１１ｓとは反対側の光反射面３１１ｒとの間で反射を繰り返した後、光出射面３１１ｓから出射される。
【００３６】
図１に示すように、導光板３１０の側面には、フレーム４１０に設けられた凹部（図示省略）に係合する凸部３１９が設けられている。凸部３９がフレーム４１０の凹部に係合することで、導光板３１０及びフレーム４１０が互いに固定される。
【００３７】
図１から図３において、反射シート７１は、導光板３１０の光反射面３１１ｒに対向するように配置されており、導光板３１０の光反射面３１１ｒから出射された光を反射して、導光板３１０の内部へ戻す。
【００３８】
複数の光学シート６０（即ち、第１プリズムシート６１、第２プリズムシート６２及び拡散シート６３）は、導光板３１０の光出射面３１１ｓ側に配置されている。第１プリズムシート６１及び第２プリズムシート６２は、光出射面３１１ｓから出射された光の指向性を高めるためのプリズムシートである。拡散シート６３は、光出射面３１１ｓから出射された光の均一化を図るための光拡散板である。本実施形態では、拡散シート６３の液晶パネル１１０側に第２プリズムシート６２が配置され、第２プリズムシート６２の液晶パネル１１０側に第１プリズムシート６１が配置されている。
【００３９】
第１遮光両面テープ６１０は、遮光性を有する両面テープであり、導光板３１０と液晶パネル１１０との間に配置されている。第１遮光両面テープ６１０は、矩形状の導光板３１０の４辺のうち光源部２１０が配置された一辺を除く他の３辺に沿って形成されている。図２に示すように、第１遮光両面テープ６１０の一部は、フレーム４１０と液晶パネル１１０（より具体的には、偏光板３０）との間に挟み込まれており、フレーム４１０と液晶パネル１１０とを接着して固定する。尚、第１遮光両面テープ６１０の構成については、図４から図６を参照して後に詳細に説明する。
【００４０】
第２遮光両面テープ７１０は、遮光性を有する両面テープであり、導光板３１０と液晶パネル１１０との間に配置されている。第２遮光両面テープ７１０は、矩形状の導光板３１０の４辺のうち光源部２１０が配置された一辺に沿って形成されている。第２遮光両面テープ７１０は、第１遮光両面テープ６１０と共に、画像表示領域１０ａを囲むように設けられている。図３に示すように、第２遮光両面テープ７１０は、液晶パネル１１０とＦＰＣ基板１５０とを接着して固定する。尚、第２遮光両面テープ７１０の構成については、図４から図６を参照して後に詳細に説明する。
【００４１】
フレーム４１０は、上述した液晶パネル１１０、光源部２１０、導光板３１０、複数の光学シート６０、第１遮光両面テープ６１０、第２遮光両面テープ７１０などを収容して内部に固定するための例えばプラスチックからなる枠状の収容ケースである。尚、フレーム４１０は、プラスチック製に限定されず、金枠であってもよいし、金枠及び樹脂からなるようにしてもよい。
【００４２】
次に、上述した第１遮光両面テープ６１０及び第２遮光両面テープ７１０の構成について、図４から図６を参照して詳細に説明する。
【００４３】
図４は、本実施形態に係る第１及び第２遮光両面テープの構成を示す平面図である。図５は、本実施形態に係る第１及び第２遮光両面テープが配置される領域を説明するための説明図である。図６は、本実施形態に係る第１及び第２遮光両面テープの構成を示す断面図である。尚、図６では、説明の便宜上、第１遮光両面テープ６１０及び第２遮光両面テープ７１０に加えて、液晶パネル１１０及び導光板３１０も図示している。
【００４４】
図４及び図５において、複数の光源部２１０は、液晶パネル１１０の第１基板１０の法線方向（即ち、図１中、Ｚ方向）から見て、表示領域１０ａの周辺に、表示領域１０ａを囲むように形成された額縁領域１００ｆにおいて導光板３１０の一辺３１０ａ（即ち、図１及び図３を参照して上述した入光端面３１１ａに対応する辺）に沿って配列されている。
【００４５】
第１遮光両面テープ６１０は、液晶パネル１１０の第１基板１０の法線方向（即ち、図１中、Ｚ方向）から見て、導光板３１０に重なる領域で、表示領域１０ａを囲む額縁領域１００ｆにおいて導光板３１０の４つの辺のうち光源部２１０が配置された辺３１０ａを除く３つの辺３１０ｂ、３１０ｃ及び３１０ｄ（図５参照）に沿って延びるように形成されている。即ち、第１遮光両面テープ６１０は、額縁領域１００ｆのうち、導光板３１０の辺３１０ｂに沿って延びる非光源側領域１００ｆｂ、導光板３１０の辺３１０ｃに沿って延びる非光源側領域１００ｆｃ、及び導光板３１０の辺３１０ｄに沿って延びる非光源側領域１００ｆｄの各々に少なくとも部分的に重なるように（本実施形態では、非光源側領域１００ｆｄ、１００ｆｂ及び１００ｆｃを概ね覆うように）形成されている。言い換えれば、第１遮光両面テープ６１０は、液晶パネル１１０の第１基板１０の法線方向（即ち、図１中、Ｚ方向）から見て、導光板３１０の４つの辺のうち光源部２１０が配置された辺３１０ａを除く３つの辺３１０ｂ、３１０ｃ及び３１０ｄ側から画像表示領域１０ａを部分的に囲むように設けられている。
【００４６】
図６に示すように、第１遮光両面テープ６１０は、本発明に係る「光吸収部」の一例としての第１光吸収層６１１及び第２光吸収層６１２を有している。第１光吸収層６１１は、層状の接着材が黒色に着色されることにより形成されている。第２光吸収層６１２は、第１光吸収層６１１の液晶パネル１１０側に形成されており、第１光吸収層６１１と同様に、層状の接着材が黒色に着色されることにより形成されている。
【００４７】
図４及び図５において、第２遮光両面テープ７１０は、液晶パネル１１０の第１基板１０の法線方向（即ち、図１中、Ｚ方向）から見て、表示領域１０ａを囲む額縁領域１００ｆにおいて導光板３１０の４つの辺のうち光源部２１０が配置された辺３１０ａ（図５参照）に沿って延びるように形成されている。即ち、第２遮光両面テープ７１０は、額縁領域１００ｆのうち導光板３１０の辺３１０ａに沿って延びる光源側領域１００ｆａに少なくとも部分的に重なるように（本実施形態では、光源側領域１００ｆａを概ね覆うように）形成されている。言い換えれば、第２遮光両面テープ７１０は、液晶パネル１１０の第１基板１０の法線方向（即ち、図１中、Ｚ方向）から見て、導光板３１０の辺３１０ａ側から画像表示領域１０ａを部分的に囲むように設けられている。
【００４８】
図６に示すように、第２遮光両面テープ７１０は、光反射層７１１及び光源側光吸収層７１２を有している。光反射層７１１は、本発明に係る「光反射部」の一例であり、層状の接着材が白色に着色されることにより形成されている。光源側光吸収層７１２は、本発明に係る「光源側光吸収部」の一例であり、光反射層７１１の液晶パネル１１０側に、光反射層７１１に重なるように形成されている。光源側光吸収層７１２は、層状の接着材が黒色に着色されることにより形成されている。言い換えれば、光源側光吸収層７１２は、光反射層７１１よりも低い反射率を有するように形成されている。更に言い換えれば、光源側光吸収層７１２は、光反射層７１１よりも高い光吸収率を有するように形成されている。
【００４９】
尚、本実施形態では、光反射層７１１（言い換えれば、第２遮光両面テープ７１０）と第１吸収層６１１（言い換えれば、第１遮光両面テープ６１０）との位置の設計は、表示領域１０ａに入らないように額縁領域１００ｆに重なり、額縁領域１００ｆと光反射層７１１と第１吸収層６１１との間が開かないように、つまり、導光板３１０からの光の光漏れがないように、額縁領域１００ｆから外側に所定間隔（例えば０．４ｍｍ程度）だけ、液晶パネル１１０の外側（外形側）に配置されている。言い換えれば、本実施形態では、第１遮光両面テープ６１０及び第２遮光両面テープ７１０は、額縁領域１００ｆ内において、互いに離間しないように、且つ、表示領域１０ａの周縁から液晶パネル１１０の外形側に所定間隔（例えば約０．４ｍｍ）だけ離れて配置されている。このように配置されることにより、導光板３１０からの光の第１遮光両面テープ６１０及び第２遮光両面テープ７１０間における光漏れを低減或いは防止でき、更に、額縁領域１００ｆから光が表示領域１０ａに入射されてしまうことを低減或いは防止できる。
【００５０】
このように構成された第１遮光両面テープ６１０及び第２遮光両面テープ７１０によれば、額縁領域１００ｆのうち導光板３１０の光源部２１０が配置された一辺３１０ａ側において導光板３１０から出射する光を、第２遮光両面テープ７１０の光反射層７１１によって反射して導光板３１０に戻すことができ、光の利用効率を高めることができる。従って、液晶パネル１１０において明るい表示が可能となる。更に、額縁領域１００ｆのうち導光板３１０の光源部２１０が配置されない３つの辺３１０ｂ、３１０ｃ及び３１０ｄ側において導光板３１０から出射する光を第１遮光両面テープ６１０の第１光吸収層６１１及び第２光吸収層６１２によって吸収することができる。よって、画像表示領域１０ａの縁付近に例えば輝線（即ち、輝度の高い線状の領域）などの表示異常が発生してしまうことを抑制或いは防止できる。加えて、光源側光吸収層７１２によって、光源側領域１００ｆａにおける導光板３１０からの光のうち光反射層７１１を透過した光を吸収することができる。よって、額縁領域１００ｆにおける光漏れを抑制或いは防止できる。
【００５１】
このような本実施形態に係る液晶装置による効果について、比較例に係る液晶装置と比較しつつ説明を加える。
【００５２】
図７は、第１比較例に係る液晶装置の構成を示す分解斜視図である。尚、図７において、図１から図６に示した第１実施形態に係る構成要素と同様の構成要素に同一の参照符合を付し、それらの説明は適宜省略する。
【００５３】
図７において、第１比較例に係る液晶装置は、図１を参照して上述した第１実施形態における第１遮光両面テープ６１０及び第２遮光両面テープ７１０に代えて遮光両面テープ８１０を備える点で、上述した第１実施形態に係る液晶装置と異なり、その他の点については、上述した第１実施形態に係る液晶装置と概ね同様に構成されている。
【００５４】
遮光両面テープ８１０は、遮光性を有する両面テープであり、導光板３１０と液晶パネル１１０との間に配置されている。遮光両面テープ８１０は、枠状の平面形状を有している。より具体的には、遮光両面テープ８１０は、画像表示領域１０ａを囲むように、額縁領域１００ｆ（図５参照）において矩形状の導光板３１０の４つの辺３１０ａ、３１０ｂ、３１０ｃ及び３１０ｄ（図５参照）の各々に沿って形成されている。遮光両面テープ８１０は、光反射層８１１及び光吸収層８１２を有している。光反射層８１１は、層状の接着材が白色に着色されることにより形成されている。光吸収層８１２は、光反射層８１１の液晶パネル１１０側に、光反射層８１１に重なるように形成されており、層状の接着材が黒色に着色されることにより形成されている。
【００５５】
このように構成された第１比較例に係る液晶装置によれば、額縁領域１００ｆにおいて導光板３１０から出射する光を、遮光両面テープ８１０の光反射層８１１によって反射して導光板３１０に戻すことができ、光の利用効率を高めることができる。
【００５６】
図８は、第１比較例に係る液晶装置において、画像表示領域の縁付近に例えば輝線等の表示異常が発生するメカニズムを説明するための説明図である。尚、図８では、第１比較例に係る液晶装置の画像表示領域の縁付近の断面図を示している。
【００５７】
図８において、第１比較例に係る液晶装置によれば、額縁領域１００ｆにおいて導光板３１０から出射された光Ｐ１は、遮光両面テープ８１０の光反射層８１１によって反射される。このように光反射層８１１によって反射された光Ｐ２は、例えば第１プリズムシート６１と第２プリズムシート６２との界面において再反射される。そして、このように再反射された光Ｐ３が液晶パネル１１０の画像表示領域１０ａに出射されると、画像表示領域１０ａの縁付近に例えば輝線などの表示異常が発生してしまう。このような表示異常は、特に、液晶パネル１１０のパネル面に対して斜め方向（即ち、図７中、Ｚ方向に対して斜めに傾いた方向）から見た場合に見えやすい。このため、広視野角で高画質な画像を表示することが困難となる。また、額縁領域１００ｆの幅が狭くなるほど、遮光両面テープ８１０は、画像表示領域１０ａの縁の近くに配置せざるを得ず、光反射層８１１によって反射され、第１プリズムシート６１と第２プリズムシート６２との界面において再反射され光が画像表示領域１０ａに出射されやすくなる。よって、上述した例えば輝線などの表示異常は、額縁領域１００ｆの幅が狭くなるほど発生しやすい。即ち、このような表示異常は、液晶装置の狭額縁化を図る妨げとなり、液晶装置の小型化や大画面化を妨げる要因となり得る。
【００５８】
しかるに本実施形態に係る液晶装置によれば、額縁領域１００ｆのうち導光板３１０の光源部２１０が配置されない３つの辺３１０ｂ、３１０ｃ及び３１０ｄ側において導光板３１０から出射する光を第１遮光両面テープ６１０の第１光吸収層６１１によって吸収することができる（言い換えれば、第１遮光両面テープ６１０における導光板３１０側の反射率は、第１比較例に係る遮光両面テープ８１０における導光板側３１０の反射率よりも低い）ので、上述した第１比較例に係る液晶装置において生じ得る、画像表示領域１０ａの縁付近における例えば輝線などの表示異常の発生を抑制できる。
【００５９】
図９は、第２比較例に係る液晶装置の構成を示す分解斜視図である。尚、図９において、図１から図６に示した第１実施形態に係る構成要素と同様の構成要素に同一の参照符合を付し、それらの説明は適宜省略する。
【００６０】
図９において、第２比較例に係る液晶装置は、図１を参照して上述した第１実施形態における第１遮光両面テープ６１０及び第２遮光両面テープ７１０に代えて遮光両面テープ８２０を備える点で、上述した第１実施形態に係る液晶装置と異なり、その他の点については、上述した第１実施形態に係る液晶装置と概ね同様に構成されている。
【００６１】
遮光両面テープ８２０は、遮光性を有する両面テープであり、導光板３１０と液晶パネル１１０との間に配置されている。遮光両面テープ８２０は、図７を参照して上述した第１比較例における遮光両面テープ８１０と同様に、枠状の平面形状を有している。遮光両面テープ８２０は、光反射吸収層８２１及び光吸収層８２２を有している。光反射吸収層８２１は、層状の接着材が灰色（即ち、グレー、つまり、白と黒との中間の色）に着色されることにより形成されている。光吸収層８２２は、光反射吸収層８２１の液晶パネル１１０側に、光反射吸収層８２１に重なるように形成されており、層状の接着材が黒色に着色されることにより形成されている。
【００６２】
このように構成された第２比較例に係る液晶装置によれば、上述した第１比較例に係る液晶装置と比較して、額縁領域１００ｆにおいて導光板３１０から出射する光を遮光両面テープ８２０の光反射吸収層８２１によって吸収することができる（言い換えれば、遮光両面テープ８２０における導光板３１０側の反射率は、第１比較例に係る遮光両面テープ８１０における導光板側３１０の反射率よりも低い）ので、画像表示領域１０ａの縁付近における例えば輝線などの表示異常の発生を抑制できる。
【００６３】
しかしながら、灰色に着色された光反射吸収層８２１（言い換えれば、遮光両面テープ８２０）は、画像表示領域１０ａを囲むように、額縁領域１００ｆ（図５参照）において矩形状の導光板３１０の４つの辺３１０ａ、３１０ｂ、３１０ｃ及び３１０ｄ（図５参照）の各々に沿って形成されているので、額縁領域１００ｆにおいて導光板３１０から出射する光を、遮光両面テープ８２０の光反射吸収層８２１によって反射して導光板３１０に十分に戻すことができず、画像表示領域１０ａにおける明るさが低下して当該液晶装置に要求される性能或いは仕様に対して不足してしまうおそれがある。
【００６４】
しかるに本実施形態に係る液晶装置によれば、額縁領域１００ｆのうち導光板３１０の光源部２１０が配置された辺３１０ａ側において導光板３１０から出射する光を第２遮光両面テープ７１０の光反射層７１１によって反射して導光板３１０に戻すことができる（言い換えれば、第２遮光両面テープ７１０における導光板３１０側の反射率は、第２比較例に係る遮光両面テープ８２０における導光板側３１０の反射率よりも高い）ので、光の利用効率を高めることができる。ここで特に、額縁領域１００ｆのうち導光板３１０の光源部２１０が配置された辺３１０ａ側の領域では、他の３辺３１０ｂ、３１０ｃ及び３１０ｄ側の領域と比較して、光源部２１０に近いので、導光板３１０から出射される光が多い。よって、額縁領域１００ｆにおいて導光板３１０から出射される光を、本実施形態に係る光反射層７１１によって効率的に導光板３１０に戻すことができる。従って、画像表示領域１０ａにおいて明るい高品位な表示を行うことが可能となる。
【００６５】
以上説明したように、本実施形態に係る液晶装置によれば、画像表示領域１０ａの縁付近に例えば輝線などの表示異常が発生することを抑制でき、高品位な表示を行うことが可能となる。
【００６６】
＜第２実施形態＞
第２実施形態に係る液晶装置について、図１０を参照して説明する。
【００６７】
図１０は、第２実施形態に係る液晶装置の構成を示す分解斜視図である。尚、図１０において、図１から図６に示した第１実施形態に係る構成要素と同様の構成要素に同一の参照符合を付し、それらの説明は適宜省略する。
【００６８】
図１０において、第２実施形態に係る液晶装置は、図１を参照して上述した第１実施形態における第１遮光両面テープ６１０及び第２遮光両面テープ７１０に代えて遮光両面テープ６２０及び反射用シート７２０を備える点で、上述した第１実施形態に係る液晶装置と異なり、その他の点については、上述した第１実施形態に係る液晶装置と概ね同様に構成されている。
【００６９】
遮光両面テープ６２０は、枠状の平面形状を有している。より具体的には、遮光両面テープ６２０は、画像表示領域１０ａを囲むように、額縁領域１００ｆ（図５参照）において矩形状の導光板３１０の４つの辺３１０ａ、３１０ｂ、３１０ｃ及び３１０ｄ（図５参照）の各々に沿って形成されている。遮光両面テープ６２０は、図６を参照して上述した第１実施形態における第１遮光両面テープ６１０と同様に、層状の接着材が黒色に着色されることにより夫々形成され、互いに重なる２つの光吸収層を有している。尚、遮光両面テープ６２０のうち辺３１０ａに沿って延びる部分は、本発明に係る「光源側光吸収部」の一例であり、遮光両面テープ６２０のうち辺３１０ｂ、辺３１０ｃ及び辺３１０ｄに沿って延びる部分は、本発明に係る「光吸収部」の一例である。
【００７０】
反射用シート７２０は、シート状の白色の部材であり、遮光両面テープ６２０の導光板３１０側に配置されている。反射用シート７２０は、矩形状の導光板３１０の４辺のうち光源部２１０が配置された一辺に沿って形成されている。より具体的には、反射用シート７２０は、液晶パネル１１０の第１基板１０の法線方向（即ち、図１０中、Ｚ方向）から見て、表示領域１０ａを囲む額縁領域１００ｆ（図５参照）において導光板３１０の４つの辺のうち光源部２１０が配置された辺３１０ａ（図５参照）に沿って延びるように形成されている。即ち、反射用シート７２０は、額縁領域１００ｆのうち導光板３１０の辺３１０ａに沿って延びる光源側領域１００ｆａ（図５参照）に少なくとも部分的に重なるように（本実施形態では、光源側領域１００ｆａを概ね覆うように）形成されている。
【００７１】
このように構成された遮光両面テープ６２０及び反射用シート７２０によれば、額縁領域１００ｆのうち導光板３１０の光源部２１０が配置された一辺３１０ａ側において導光板３１０から出射する光を、反射用シート７２０によって反射して導光板３１０に戻すことができ、光の利用効率を高めることができる。従って、液晶パネル１１０において明るい表示が可能となる。更に、額縁領域１００ｆのうち導光板３１０の光源部２１０が配置されない３つの辺３１０ｂ、３１０ｃ及び３１０ｄ側において導光板３１０から出射する光を遮光両面テープ６２０（より具体的には、その接着層が黒色に着色されてなる光吸収層）によって吸収することができる。よって、画像表示領域１０ａの縁付近に例えば輝線などの表示異常が発生してしまうことを抑制或いは防止できる。加えて、本実施形態によれば、反射用シート７２０は、遮光両面テープ６２０とは別体として設けられるので、反射用シート７２０の設計自由度が高まり、実践上有利である。
【００７２】
＜第３実施形態＞
第３実施形態に係る液晶装置について、図１１及び図１２を参照して説明する。
【００７３】
図１１は、第３実施形態に係る液晶装置の構成を示す断面図である。図１２は、第３実施形態に係るＦＰＣ基板上に設けられた光反射層の構成を示す平面図である。尚、図１１及び図１２において、図１から図６に示した第１実施形態に係る構成要素及び図１０を参照して上述した第２実施形態に係る構成要素と同様の構成要素に同一の参照符合を付し、それらの説明は適宜省略する。また、図１１では、複数の光学シート６０及び反射シート７１の図示を省略している。
【００７４】
図１１において、第３実施形態に係る液晶装置は、図１０を参照して上述した第２実施形態における反射用シート７２０に代えて光反射層７３０を備える点で、上述した第２実施形態に係る液晶装置と異なり、その他の点については、上述した第２実施形態に係る液晶装置と概ね同様に構成されている。
【００７５】
図１１において、光反射層７３０は、ＦＰＣ基板１５０上における導光板３１０側に、シルク印刷により形成された白色の印刷層であり、矩形状の導光板３１０の４辺のうち光源部２１０が配置された一辺に沿って形成されている。
【００７６】
より具体的には、図１１及び図１２に示すように、本実施形態では、ＦＰＣ基板１５０は、複数の光源部２１０が実装される本体部１５１と、この本体部１５１から導光板３１０に重なるように延設された延設部１５２とを有している。光反射層７３０は、ＦＰＣ基板１５０の延設部１５２における導光板３１０側の基板面上に設けられている。光反射層７３０は、液晶パネル１１０の第１基板１０の法線方向から見て、画像表示領域１０ａを囲む額縁領域１００ｆ（図５参照）において導光板３１０の４つの辺のうち光源部２１０が配置された辺３１０ａ（図５参照）に沿って延びるように形成されている。即ち、反射用シート７２０は、額縁領域１００ｆのうち導光板３１０の辺３１０ａに沿って延びる光源側領域１００ｆａ（図５参照）に少なくとも部分的に重なるように形成されている。
【００７７】
このように構成された光反射層７３０を備える本実施形態に係る液晶装置によれば、額縁領域１００ｆのうち導光板３１０の光源部２１０が配置された一辺３１０ａ側において導光板３１０から出射する光を、光反射層７３０によって反射して導光板３１０に戻すことができ、光の利用効率を高めることができる。従って、液晶パネル１１０において明るい表示が可能となる。更に、上述した第２実施形態に係る液晶装置と同様に、額縁領域１００ｆのうち導光板３１０の光源部２１０が配置されない３つの辺３１０ｂ、３１０ｃ及び３１０ｄ側において導光板３１０から出射する光を遮光両面テープ６２０（より具体的には、その接着層が黒色に着色されてなる光吸収層）によって吸収することができる。よって、画像表示領域１０ａの縁付近に例えば輝線などの表示異常が発生してしまうことを抑制或いは防止できる。加えて、本実施形態によれば、光反射層７３０を、光源部２１０が実装されるＦＰＣ基板１５０上に容易に形成することができる。よって、光反射層７３０を容易に形成することができるので、当該液晶装置の製造上有利である。
【００７８】
＜電子機器＞
次に、上述した本実施形態に係る液晶装置を適用可能な電子機器の具体例について、図１３を参照して説明する。
【００７９】
上述した液晶装置を、タッチパネル機能（或いはタッチスクリーン機能）を有するゲーム機器等のポータブルコンピュータの表示部に適用した例について説明する。図１３は、このポータブルコンピュータの構成を示す斜視図である。同図に示すように、ポータブルコンピュータ４０００は、本体部に操作ボタン４００１や電源スイッチ４００２を備え、上述した液晶装置を適用した表示部４００３を備えている。表示部４００３においてはタッチペン等による入力操作が可能となっており、本体部では操作ボタン４００１等に加えてタッチペン等による入力内容に従った動作を行うことが可能なように構成されている。
【００８０】
尚、図１３を参照して説明した電子機器の他にも、プロジェクタや、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００８１】
本発明は、上述した実施形態に限られるものではなく、特許請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【符号の説明】
【００８２】
１０ａ…画像表示領域、１００ｆ…額縁領域、１１０…液晶パネル、２１０…光源部、３１０…導光板、４１０…フレーム、６１０…第１遮光両面テープ、６１１…第１光吸収層、６１２…第２光吸収層、７１０…第２遮光両面テープ、７１１…光反射層、７１２…光源側光吸収層
【図１】
2010217637.tif 000003
【図２】
2010217637.tif 000004
【図３】
2010217637.tif 000005
【図４】
2010217637.tif 000006
【図５】
2010217637.tif 000007
【図６】
2010217637.tif 000008
【図７】
2010217637.tif 000009
【図８】
2010217637.tif 000010
【図９】
2010217637.tif 000011
【図１０】
2010217637.tif 000012
【図１１】
2010217637.tif 000013
【図１２】
2010217637.tif 000014
【図１３】
2010217637.tif 000015